(57)【要約】【課題】天井保管棚における非常に大きな揺れに対しても収納容器の転倒に耐えることができ、天井保管棚からの収納容器の落下を充分に防止可能な物品搬送設備及び落下防止装置を提供する。【解決手段】半導体基板を収納するフープ９０を走行レール１２に沿って走行する天井搬送車２０により搬送する物品搬送設備１０であって、走行レール１２に沿って設けられ、天井搬送車２０によって搬送されるフープ９０を保管する第１天井保管棚３０Ａを備え、第１天井保管棚３０Ａは、第１天井保管棚３０Ａからのフープ９０の落下を防止する第１落下防止装置４０を備え、第１落下防止装置４０は、フープ９０を持ち上げるためのハンドル９４を係止する係止部４２を備えるものである。【選択図】図１
2018043867.tif 000002
【特許請求の範囲】
【請求項１】
物品を収納する収納容器を搬送路に沿って走行する天井搬送車により搬送する物品搬送設備であって、
前記搬送路に沿って設けられ、前記天井搬送車によって搬送される収納容器を保管する天井保管棚を備え、
前記天井保管棚は、前記天井保管棚からの前記収納容器の落下を防止する落下防止装置を備え、
前記落下防止装置は、前記収納容器を持ち上げるためのハンドル部を係止する係止部を備えること
を特徴とする物品搬送設備。
【請求項２】
前記係止部は、前記収納容器の容器本体と前記ハンドル部によって形成される孔を貫通する貫通部材により構成されること
を特徴とする請求項１に記載の物品搬送設備。
【請求項３】
前記係止部は、前記天井保管棚における前記収納容器の水平方向において、前記ハンドル部の外部から前記ハンドル部と当接して前記収納容器の移動を規制する移動規制部材により構成されること
を特徴とする請求項１に記載の物品搬送設備。
【請求項４】
前記係止部は、前記ハンドル部に嵌合する嵌合部材により構成されること
を特徴とする請求項１に記載の物品搬送設備。
【請求項５】
物品を収納する収納容器を搬送路に沿って走行する天井搬送車により搬送する物品搬送設備に設けられる天井保管棚において前記天井保管棚からの前記収納容器の落下を防止する落下防止装置であって、
前記収納容器を持ち上げるためのハンドル部を係止する係止部を備え、
前記係止部は、前記収納容器の容器本体と前記ハンドル部によって形成される孔を貫通する貫通部材により構成されること
を特徴とする落下防止装置。
【発明の詳細な説明】
【技術分野】
【０００１】
本発明は、搬送路に沿って走行する天井搬送車により、物品を収納した収納容器を搬送する物品搬送設備及びその物品搬送設備に設けられる収納容器の落下防止装置に関するものである。
【背景技術】
【０００２】
従来の物品搬送設備では、天井付近に設けられた走行レールに沿って天井搬送車を走行させることにより、物品を収納した収納容器を搬送する。このような物品搬送設備においては、天井搬送車の作業効率を向上させる等の理由から、天井搬送車により搬送される収納容器を一時的に保管する天井保管棚が走行レールに沿って天井から吊り下げられて設けられている。この天井保管棚には、天井保管棚からの収納容器の落下を防止するための落下防止装置が設けられている。
【０００３】
例えば、特許文献１の物品搬送設備においては、天井バッファ（天井保管棚）に、物品（収納容器）底部の凹部に嵌合して物品を位置決めする位置決めピンと、物品の落下を防止するための落下防止柵とを設けて、落下防止柵が位置決めピンよりも高く上方に突き出すようにし、さらに落下防止柵の高さを走行中の天井走行車での物品の底面よりやや低い高さとすることで、天井搬送車と天井バッファ間の物品の移載を容易にし、さらに天井バッファからの物品の落下を防止している。
【先行技術文献】
【特許文献】
【０００４】
【特許文献１】特許４０４５４５１号公報
【発明の概要】
【発明が解決しようとする課題】
【０００５】
しかしながら、特許文献１の物品搬送設備は、天井バッファ（天井保管棚）の４周に落下防止柵を同じ高さで配置し、位置決めピンにより物品（収納容器）の底部から位置決めすることで、天井バッファからの物品の落下を防止しているが、加速度１０００Ｇａｌを超える大型地震のような非常に大きな揺れにおいては、そのような落下防止柵及び位置決めピンでは、物品の転倒に耐えることができず、天井バッファからの物品の落下を充分に防止できないという問題があった。
【０００６】
そこで、本発明は、天井保管棚における非常に大きな揺れに対しても収納容器の転倒に耐えることができ、天井保管棚からの収納容器の落下を充分に防止可能な物品搬送設備及び落下防止装置を提供することを目的とする。
【課題を解決するための手段】
【０００７】
本発明の解決しようとする課題は以上であり、次にこの課題を解決するための手段を説明する。
【０００８】
即ち、本発明の物品搬送設備は、物品を収納する収納容器を搬送路に沿って走行する天井搬送車により搬送する物品搬送設備であって、前記搬送路に沿って設けられ、前記天井搬送車によって搬送される収納容器を保管する天井保管棚を備え、前記天井保管棚は、前記天井保管棚からの前記収納容器の落下を防止する落下防止装置を備え、前記落下防止装置は、前記収納容器を持ち上げるためのハンドル部を係止する係止部を備えるものである。
上記構成では、落下防止装置の係止部が収納容器のハンドル部を係止することで、収納容器の移動（揺れ）を規制する。
【０００９】
本発明の物品搬送設備は、上記物品搬送設備において、前記係止部が、前記収納容器の容器本体と前記ハンドル部によって形成される孔を貫通する貫通部材により構成されるものである。
上記構成では、落下防止装置の係止部が容器本体とハンドル部によって形成される孔を貫通することで、収納容器の移動（揺れ）を規制する。
【００１０】
本発明の物品搬送設備は、上記物品搬送設備において、前記係止部が、前記天井保管棚における前記収納容器の水平方向において、前記ハンドル部の外部から前記ハンドル部と当接して前記収納容器の移動を規制する移動規制部材により構成されるものである。
上記構成では、落下防止装置の係止部が天井保管棚における収納容器の水平方向においてハンドル部と当接することで、収納容器の移動（揺れ）を規制する。
【００１１】
本発明の物品搬送設備は、上記物品搬送設備において、前記係止部が、前記ハンドル部に嵌合する嵌合部材により構成されるものである。
上記構成では、落下防止装置の係止部がハンドル部に嵌合することで、収納容器の移動（揺れ）を規制する。
【００１２】
本発明の落下防止装置は、物品を収納する収納容器を搬送路に沿って走行する天井搬送車により搬送する物品搬送設備に設けられる天井保管棚において前記天井保管棚からの前記収納容器の落下を防止する落下防止装置であって、前記収納容器を持ち上げるためのハンドル部を係止する係止部を備え、前記係止部は、前記収納容器の容器本体と前記ハンドル部によって形成される孔を貫通する貫通部材により構成されるものである。
上記構成では、落下防止装置の係止部が容器本体とハンドル部によって形成される孔を貫通することで、収納容器の移動（揺れ）を規制する。
【発明の効果】
【００１３】
本発明の物品搬送設備及び落下防止装置によれば、収納容器のハンドル部を落下防止装置の係止部により係止することで、収納容器の移動（揺れ）を規制できることから、天井保管棚における非常に大きな揺れに対しても収納容器の転倒に耐えることができ、天井保管棚からの収納容器の落下を充分に防止することができる。
収納容器に予め設けられているハンドル部を利用して収納容器の移動（揺れ）を容易に規制することができる。そのため、容易な装置構成で、天井保管棚からの収納容器の落下を確実に防止できる。
【図面の簡単な説明】
【００１４】
【図１】本発明に係る物品搬送設備に設けられる天井搬送車及び天井保管棚を示す図である。
【図２】本発明に係る物品搬送設備に設けられる第１天井保管棚及び第１落下防止装置の斜視図である。
【図３】（ａ）は、本発明に係る物品搬送設備に設けられる天井搬送車により搬送されるフープの斜視図、（ｂ）は、同フープを第１天井保管棚に着座させた際の第１天井保管棚の平面図、（ｃ）は、同フープを第１天井保管棚に着座させた際の第１天井保管棚の下部正面図、（ｄ）は、同フープを第１天井保管棚に着座させた際の第１天井保管棚の下部側面図である。
【図４】（ａ）は、本発明に係る物品搬送設備に設けられる天井搬送車により搬送される別実施例のフープの斜視図、（ｂ）は、同フープを、第３落下防止装置を設けた第１天井保管棚（第２天井保管棚）に着座させた際の第１天井保管棚（第２天井保管棚）の下部側面断面図である。
【図５】（ａ）は、本発明に係る物品搬送設備に設けられる天井搬送車により搬送される別実施例のフープの斜視図、（ｂ）は、同フープを、第４落下防止装置を設けた第１天井保管棚（第２天井保管棚）に着座させた際の第１天井保管棚（第２天井保管棚）の下部側面断面図、（ｃ）は、同フープを、第３落下防止装置を設けた第１天井保管棚（第２天井保管棚）に着座させた際の第１天井保管棚（第２天井保管棚）の下部側面断面図である。
【発明を実施するための形態】
【００１５】
本発明に係る物品搬送設備１０について説明する。
物品搬送設備１０は、半導体基板（「物品」の一例）の製造工場内のクリーンルーム等に設けられ、半導体基板を収納したフープ９０（「収納容器」の一例）を、半導体基板に対して所定の処理を行う複数の処理装置間において加工処理の工程順に従って搬送するための設備である。図１に示すように、物品搬送設備１０は、搬送路である走行レール１２と、走行レール１２に沿って走行する天井搬送車２０と、走行レール１２に沿って設けられる第１及び第２天井保管棚３０Ａ、３０Ｂと、を主に備えている。
【００１６】
走行レール１２は、上記複数の処理装置（図示せず）の上方に設けられ、天井１１から吊り下げボルト１３等により支持される。
天井搬送車２０は、半導体基板を収納したフープ９０を走行レール１２に沿って搬送するものである。天井搬送車２０は、走行レール１２に対して吊下げられた状態で取り付けられ、走行レール１２に沿って移動可能に構成されている。天井搬送車２０は、移動車２１と、横送り駆動装置２２と、昇降駆動装置２３と、チャッキング装置２４と、落下防止体２５と、から主に構成されている。天井搬送車２０は、天井１１側から移動車２１、横送り駆動装置２２、昇降駆動装置２３、チャッキング装置２４の順で設けられる。
移動車２１は、横送り駆動装置２２、昇降駆動装置２３、及びチャッキング装置２４を走行レール１２に沿って移動させるものであり、走行レール１２に沿って走行可能に構成されている。移動車２１は、走行レール１２に沿って走行するための走行推力を発生するリニアモータ式の走行車体と、当該走行車体に対して連結されて横送り駆動装置２２を支持する支持部と、から主に構成されている。なお、上記走行車体は、リニアモータ式の走行車体に限定されるものではなく、クリーンルーム等のクリーン度が要求される空間で走行可能な方式の走行車体であれば構わない。
横送り駆動装置２２は、昇降駆動装置２３及びチャッキング装置２４を走行レール１２の側方（移動車２１の走行方向に対して左右方向）に移動させるものであり、移動車２１の下端部に取り付けられている。横送り駆動装置２２は、昇降駆動装置２３を支持して走行レール１２の左右方向に案内するガイド支持レールと、ガイド支持レールを走行レール１２の左右方向に移動させるとともにガイド支持レールに案内される昇降駆動装置２３を走行レール１２の左右方向に移動させる横移動装置と、を備える。横送り駆動装置２２においては、ガイド支持レールが横移動装置の駆動により走行レール１２の左右どちらか一方にスライド移動される。そして、昇降駆動装置２３が横移動装置の駆動によりスライド移動されたガイド支持レール上を移動する。
昇降駆動装置２３は、チャッキング装置２４を吊り下げた状態で昇降させるものであり、横送り駆動装置２２に取り付けられている。昇降駆動装置２３は、複数本の昇降ベルトを有し、当該複数本の昇降ベルトを同時に巻き取り及び巻き出し可能に構成されている。上記複数本の昇降ベルトの巻き取り及び巻き出しを行うことで、上記昇降ベルトにより吊り下げ支持されたチャッキング装置２４が略水平姿勢を維持しながら昇降操作される。
チャッキング装置２４は、フープ９０を着脱可能に支持するものであり、昇降駆動装置２３に取り付けられている。チャッキング装置２４は、フープ９０の上面から突出するフランジ９３等を掴むことによりフープ９０を支持する。
落下防止体２５は、天井搬送車２０からのフープ９０の落下を防止するものであり、天井搬送車２０の走行方向に対して前後側及び下側を覆う箱体である。
【００１７】
天井搬送車２０は、図３（ａ）に示すようなフープ９０を搬送する。フープ９０は、略立方体の箱状の収納容器であり、その内部に複数の半導体基板を収納可能な複数段の載置部（図示せず）を有する。フープ９０は、フープ本体９１（「容器本体」の一例）と、蓋体９２と、から主に構成される。フープ９０は、フープ本体９１の一方側に設けられる開口部分から半導体基板が出し入れされる。フープ本体９１の開口部分は、蓋体９２により開閉される。フープ本体９１の上部には、フープ９０を昇降駆動装置２３により昇降させるためのフランジ９３が設けられている。フープ本体９１の両側部には、作業者等がフープ９０を持ち上げて運搬するためのハンドル９４（「ハンドル部」の一例）及びサイドフランジ９５が設けられている。
ハンドル９４は、フープ本体９１の側面からアーチ状（コ字状）に突出する矩形の部材により形成される。
フープ９０には、アーチ状のハンドル９４をフープ本体９１の側面から突出させることで、作業者等がフープ９０を持ち上げる際に作業者の手等を挿入するための孔９６が、フープ本体９１とハンドル９４との間に形成される。孔９６は、フープ本体９１とハンドル９４により囲まれる領域であり、通常の作業者の手を挿入させることができる程度の空間である。
【００１８】
第１及び第２天井保管棚３０Ａ、３０Ｂは、天井搬送車２０により搬送されるフープ９０を一時的に保管するためのものである。図１に示すように、第１及び第２天井保管棚３０Ａ、３０Ｂは、走行レール１２を挟んで互いに向かい合って走行レール１２の左右両側の側方に設けられ、又は、それぞれ別々に、走行レール１２の左右どちらか一方の側方に設けられる。第１及び第２天井保管棚３０Ａ、３０Ｂは、天井１１から吊り下げボルト１３等により吊り下げられた状態で支持される。
図２に示すように、第１及び第２天井保管棚３０Ａ、３０Ｂは、底板３１と、底板３１の両側から垂直に立設される側面枠３２、３２と、側面枠３２、３２が立設される側と異なる側の底板３１から垂直に立設される落下防止枠３３と、から主に構成されている。なお、以下の説明においては、側面枠３２、３２が設けられている側を「第１及び第２天井保管棚３０Ａ、３０Ｂの右側或いは左側」とし、落下防止枠３３が設けられている側を「第１及び第２天井保管棚３０Ａ、３０Ｂの後側」とし、落下防止枠３３が設けられている側と反対側を「第１及び第２天井保管棚３０Ａ、３０Ｂの前側」とする。
側面枠３２、３２は、第１及び第２天井保管棚３０Ａ、３０Ｂの右側或いは左側からのフープ９０の落下を防止するものである。側面枠３２、３２の上部には、第１及び第２天井保管棚３０Ａ、３０Ｂを天井１１から吊り下げるための吊り下げボルト１３等が取り付けられる。
落下防止枠３３は、第１及び第２天井保管棚３０Ａ、３０Ｂの後側からのフープ９０の落下を防止するものである。落下防止枠３３は、側面枠３２、３２より低く、且つ底板３１に着座するフープ９０の高さより高く形成される。
第１及び第２天井保管棚３０Ａ、３０Ｂは、前側にフープ９０を出し入れするための搬出入口が設けられ、当該搬出入口を走行レール１２側に向けて配置される。当該搬出入口から搬入されたフープ９０は、底板３１に着座させる。
【００１９】
図１から図３に示すように、第１天井保管棚３０Ａの側面枠３２、３２には、第１天井保管棚３０Ａからのフープ９０の落下を防止する第１落下防止装置４０（第１実施例）が設けられている。図３に示すように、第１落下防止装置４０は、フープ９０が第１天井保管棚３０Ａに着座した際に、フープ本体９１の側面に設けられるハンドル９４と対向する側面枠３２、３２に設けられる。第１落下防止装置４０は、フープ９０の大きさ、フープ９０に対するハンドル９４の位置、ハンドル９４により形成される孔９６の位置及び大きさ等に応じて、側面枠３２、３２における設置位置が決定される。
第１落下防止装置４０は、正面視略Ｕ字状に屈曲する板材により構成される。第１落下防止装置４０は、その一方側に第１天井保管棚３０Ａの側面枠３２、３２に固定するための固定部４１が設けられ、その他方側にハンドル９４を係止するための係止部４２が設けられる。
固定部４１は、側面枠３２、３２と平行に設けられ、板材で側面枠３２、３２を挟み込んでボルト等の固定部材により側面枠３２、３２に固定される。
係止部４２は、その先端部をフープ本体９１とハンドル９４により形成される孔９６に貫通させることによってハンドル９４を係止する。係止部４２は、固定部４１から正面視略Ｌ字状に突出して延設され、その先端部が上方に向くように設けられる。係止部４２は、その側面の幅がフープ９０の孔９６の径より短く形成される。係止部４２は、その先端部分が、フープ９０が第１天井保管棚３０Ａに着座する際にフープ９０の孔９６を貫通可能な長さで固定部４１から突出している。
第１落下防止装置４０は、フープ９０が第１天井保管棚３０Ａに着座する際に、係止部４２がフープ９０の孔９６を貫通する。これにより、係止部４２がハンドル９４の孔９６側の側面と当接可能な状態となり、ハンドル９４の孔９６側の側面が係止部４２と当接することでハンドル９４が係止部４２に係止される。第１落下防止装置４０は第１天井保管棚３０Ａの左右両側に設けられているため、係止部４２がフープ９０の孔９６を貫通することでフープ９０の左右両側のハンドル９４が係止部４２により係止され、フープ本体９１の前後左右方向の移動（揺れ）が規制される。そのため、フープ９０が傾いた場合であっても、フープ９０が転倒する前に係止部４２がハンドル９４に当接してフープ９０の転倒を止める。
このように、第１落下防止装置４０は、係止部４２がフープ本体９１とハンドル９４により形成される孔９６を貫通する貫通部材により構成され、当該貫通部材が孔９６を貫通することでフープ９０の移動（揺れ）を規制し、第１天井保管棚３０Ａからのフープ９０の落下を防止する。
【００２０】
図１に示すように、第２天井保管棚３０Ｂの底板３１には、第２天井保管棚３０Ｂからのフープ９０の落下を防止する第２落下防止装置５０（第２実施例）が設けられている。第２落下防止装置５０は、フープ９０が第２天井保管棚３０Ｂに着座する際に、フープ本体９１の側面に設けられるハンドル９４の前側と対向する位置に底板３１から立設される。第２落下防止装置５０は、フープ９０の大きさ、フープ９０に対するハンドル９４の位置、大きさ等に応じて、底板３１における設置位置が決定される。
第２落下防止装置５０は、底板３１から上方に向けて突出する角形の柱材により構成される。第２落下防止装置５０は、その基端部が底板３１に固定され、底板３１から垂直に立設される。第２落下防止装置５０は、その柱材の一方の側面にハンドル９４を係止するための係止部５１が設けられる。
係止部５１は、上記柱材の後側の側面であり、フープ９０が第２天井保管棚３０Ｂに着座する際に、ハンドル９４の前側と対向する側の側面である。係止部５１は、その側面の幅が、ハンドル９４がフープ本体９１から突出する長さより長く、且つフープ９０が第２天井保管棚３０Ｂに着座する際にフープ本体９１と側面枠３２、３２との間に生じる隙間より短くなるように形成される。
第２落下防止装置５０は、フープ９０が第２天井保管棚３０Ｂに着座する際に、係止部５１がハンドル９４に当接或いは接近する。すなわち、係止部５１が第２天井保管棚３０Ｂにおけるフープ９０の水平方向（前方向）においてハンドル９４の外部からハンドル９４と当接或いは接近する。これにより、係止部５１がハンドル９４の前側の側面（外部）と当接或いは当接可能な状態となり、ハンドル９４の前側の側面が係止部５１と当接することでハンドル９４が係止部５１に係止される。第２落下防止装置５０は第２天井保管棚３０Ｂの左右両側に設けられているため、係止部５１がハンドル９４の前側の側面（外部）に当接することでフープ９０の左右両側のハンドル９４が係止部５１により係止され、フープ本体９１の前方向の移動（揺れ）が規制される。そのため、フープ９０が傾いた場合であっても、フープ９０が転倒する前に係止部５１がハンドル９４に当接してフープ９０の転倒を止める。
このように、第２落下防止装置５０は、係止部５１がハンドル９４と当接してフープ９０の移動を規制する移動規制部材により構成され、当該移動規制部材が第２天井保管棚３０Ｂにおけるフープ９０の水平方向においてハンドル９４の外部からハンドル９４と当接することでフープ９０の移動を規制し、第２天井保管棚３０Ｂからのフープ９０の落下を防止する。
【００２１】
以上のように、物品搬送設備１０及び第１及び第２落下防止装置４０、５０においては、フープ９０のハンドル９４を第１及び第２落下防止装置４０、５０の係止部４２、５１により係止することで、フープ９０の移動（揺れ）を規制できることから、大型地震においてもフープ９０の転倒に耐えることができ、第１及び第２天井保管棚３０Ａ、３０Ｂからのフープ９０の落下を充分に防止することができる。
物品搬送設備１０及び第１及び第２落下防止装置４０、５０においては、フープ９０に予め設けられているハンドル９４を利用してフープ９０の移動（揺れ）を容易に規制することができる。そのため、容易な装置構成で、第１及び第２天井保管棚３０Ａ、３０Ｂからのフープ９０の落下を確実に防止できる。
【００２２】
なお、本実施の形態においては、第１天井保管棚３０Ａに第１落下防止装置４０を設け、第２天井保管棚３０Ｂに第２落下防止装置５０を設けているが、これに限定されるものではなく、第１及び第２天井保管棚３０Ａ、３０Ｂのそれぞれに、第１落下防止装置４０又は第２落下防止装置５０を設けても構わない。
本実施の形態においては、走行レール１２の左右両側方に、第１及び第２天井保管棚３０Ａ、３０Ｂを設けているが、これに限定されるものではなく、走行レール１２の左右どちらか一方の側方のみに第１及び第２天井保管棚３０Ａ、３０Ｂを設けても構わない。
【００２３】
本実施の形態においては、第１及び第２天井保管棚３０Ａ、３０Ｂに着座する収納容器を、図４（ａ）に示すようなフープ９０Ｂ（フープ９０の別実施例）としても構わない。フープ９０Ｂは、フープ本体とハンドルによって形成される孔を有さない板状のハンドル９４Ｂをその側面に備える収納容器である。
この場合においては、第３落下防止装置６５（第３実施例）により落下防止装置を構成する。図４（ｂ）に示すように、第３落下防止装置６５は、フープ９０Ｂが第１及び第２天井保管棚３０Ｂに着座する際に、係止部６６が板状のハンドル９４Ｂの前後の側面と当接するように、第１及び第２天井保管棚３０Ａ、３０Ｂの底板３１に垂直に立設される。第３落下防止装置６５は、フープ９０Ｂが第１及び第２天井保管棚３０Ｂに着座する際に、係止部６６を構成する一対の柱材が板状のハンドル９４Ｂに当接或いは接近することで、板状のハンドル９４Ｂを係止部６６により係止し或いは係止可能な状態として、フープ本体９１Ｂの前後方向の移動（揺れ）を規制する。
【００２４】
本実施の形態においては、第１及び第２天井保管棚３０Ａ、３０Ｂに着座する収納容器を、図５（ａ）に示すようなフープ９０Ｃ（フープ９０の別実施例）としても構わない。フープ９０Ｃは、フープ本体とハンドルによって形成される孔を有さない逆Ｌ字状のハンドル９４Ｃをその側面に備える収納容器である。
この場合においては、第３落下防止装置６５（第３実施例）及び第４落下防止装置６０（第４実施例）により落下防止装置を構成する。
図５（ｂ）に示すように、第４落下防止装置６０は、係止部６１が逆Ｌ字状のハンドル９４Ｃに嵌合する嵌合部材により構成される。具体的には、係止部６１が、逆Ｌ字状のハンドル９４Ｃにおいて下方に折れ曲がって形成される下方屈曲部９９Ｃの形状に合わせた凹状部分を有する部材により構成される。
第４落下防止装置６０は、フープ９０Ｃが第１及び第２天井保管棚３０Ｂに着座する際に、逆Ｌ字状のハンドル９４Ｃの側面と対向するように、第１及び第２天井保管棚３０Ａ、３０Ｂの側面枠３２、３２に設けられる。第４落下防止装置６０は、フープ９０Ｃが第１及び第２天井保管棚３０Ｂに着座する際に、係止部６１の凹状部分が逆Ｌ字状のハンドル９４Ｃの下方屈曲部９９Ｃに嵌る。係止部６１の凹状部分が下方屈曲部９９Ｃに嵌ることで、逆Ｌ字状のハンドル９４Ｃが係止部６１に係止され、フープ本体９１Ｃの前後方向の移動（揺れ）が規制される。
図５（ｃ）に示すように、第３落下防止装置６５は、係止部６６が逆Ｌ字状のハンドル９４Ｃと当接してフープ９０Ｃの移動を規制する移動規制部材により構成される。具体的には、係止部６６が、逆Ｌ字状のハンドル９４Ｃの下方屈曲部９９Ｃの前後の側面と当接する（下方屈曲部９９Ｃの前後の側面を挟持する）一対の角形の柱材により構成される。
第３落下防止装置６５は、フープ９０Ｃが第１及び第２天井保管棚３０Ｂに着座する際に、係止部６６が逆Ｌ字状のハンドル９４Ｃの下方屈曲部９９Ｃの前後の側面と当接するように、第１及び第２天井保管棚３０Ａ、３０Ｂの底板３１に垂直に立設される。第３落下防止装置６５は、フープ９０Ｃが第１及び第２天井保管棚３０Ｂに着座する際に、係止部６１を構成する一対の柱材が下方屈曲部９９Ｃに当接或いは接近することで、逆Ｌ字状のハンドル９４Ｃを係止部６１により係止し或いは係止可能な状態として、フープ本体９１Ｃの前後方向の移動（揺れ）を規制する。
【００２５】
なお、上記フープ９０Ｂ、９０Ｃにおいては、落下防止装置を第３落下防止装置６５及び第４落下防止装置６０（第３及び第４実施例）としたが、これに限定されるものではなく、上記フープ９０において用いた第２落下防止装置５０（第２実施例）を用いても構わない。すなわち、第２落下防止装置５０の係止部５１を、板状のハンドル９４Ｂの前側の側面及び逆Ｌ字状のハンドル９４Ｃの前側の側面に当接させることで、板状のハンドル９４Ｂ及び逆Ｌ字状のハンドル９４Ｃを係止部５１により係止して、フープ本体９１Ｂ、９１Ｃの前方向の移動（揺れ）を規制しても構わない。
【００２６】
本実施の形態においては、天井搬送車２０が搬送する収納容器を、フープ９０、９０Ｂ、９０Ｃとしたが、これに限定されるものではなく、フープを持ち上げるためのハンドル部を有するものであれば構わない。すなわち、ハンドル部は、ハンドル９４、９４Ｂ、９４Ｃに限定されない。また、収納容器は、フープに限定されるものではなく、ハンドル部を有する収納容器であれば、例えば、フォスビ等のシリコンウェハ出荷容器であっても構わない。
【符号の説明】
【００２７】
１０                    物品搬送設備
１２                    走行レール（搬送路）
２０                    天井搬送車
３０Ａ                  第１天井保管棚（天井保管棚）
３０Ｂ                  第２天井保管棚（天井保管棚）
４０                    第１落下防止装置（落下防止装置）
４２                    係止部
５０                    第２落下防止装置（落下防止装置）
５１                    係止部
６０                    第４落下防止装置（落下防止装置）
６１                    係止部
６５                    第３落下防止装置（落下防止装置）
６６                    係止部
９０                    フープ（収納容器）
９０Ｂ                  フープ（収納容器）
９０Ｃ                  フープ（収納容器）
９４                    ハンドル（ハンドル部）
９４Ｂ                  板状のハンドル（ハンドル部）
９４Ｃ                  逆Ｌ字状のハンドル（ハンドル部）
【図１】
2018043867.tif 000003
【図２】
2018043867.tif 000004
【図３】
2018043867.tif 000005
【図４】
2018043867.tif 000006
【図５】
2018043867.tif 000007